(57)【要約】  【課題】興趣性を向上した玩具を提供する。  【解決手段】ぬいぐるみ玩具２を上部に備えた走行体本体11に設けた第２回転部14の回転方向を、走行体本体11に設けた第１回転部13の回転方向に対して同方向および反対方向にギア部42により切り換えることで、ボール体３が走行面上を走行したり、走行面上で旋回したりすることが可能になるので、走行面上でのボール体３の動作が複雑になり、興趣性を向上できる。  【選択図】図１
2005205036.tif 000002
【特許請求の範囲】
【請求項１】
走行面上を走行可能な走行体と、
この走行体に設けられた玩具体とを具備し、
前記走行体は、
前記玩具体が上部に設けられた走行体本体と、
この走行体本体の両側にそれぞれ設けられ、走行面に接触して回転可能な対をなす回転部と、
これら回転部を回転させる動力部とを備え、
前記動力部は、前記対をなす回転部のいずれか一方の回転方向をいずれか他方に対して同方向および反対方向に切り換え可能な切換機構を有している
ことを特徴とした玩具。
【請求項２】
走行体は、走行体本体に設けられた錘体を備えている
ことを特徴とした請求項１記載の玩具。
【請求項３】
玩具体は、走行体本体から着脱可能に設けられたぬいぐるみ玩具である
ことを特徴とした請求項１または２記載の玩具。
【発明の詳細な説明】
【技術分野】
【０００１】
本発明は、走行面上を走行可能な走行体を備えた玩具に関する。
【背景技術】
【０００２】
従来、走行面上を走行可能なボール内に、このボールの上部に常に位置する磁石を配置し、この磁石と吸着する磁石を備えた玩具体を、ボールの上部に取り付けた玩具が知られている。そして、この玩具は、走行面上でのボールの走行に伴い、玩具体がボールの外周面をあたかも走行しているように常に上部に位置する（例えば、特許文献１および特許文献２参照。）。
【特許文献１】実開平７−３３３９９号公報（第４−５頁、図１）
【特許文献２】特開２００２−１２６３７３号公報（第２−３頁、図１−図２）
【発明の開示】
【発明が解決しようとする課題】
【０００３】
しかしながら、上述の玩具では、ボールが走行面上を一定方向に走行するのみであるため、動作の変化に乏しく、興趣性が充分であるとはいえないという問題点を有している。
【０００４】
本発明は、このような点に鑑みなされたもので、興趣性を向上した玩具を提供することを目的とする。
【課題を解決するための手段】
【０００５】
請求項１記載の玩具は、走行面上を走行可能な走行体と、この走行体に設けられた玩具体とを具備し、前記走行体は、前記玩具体が上部に設けられた走行体本体と、この走行体本体の両側にそれぞれ設けられ、走行面に接触して回転可能な対をなす回転部と、これら回転部を回転させる動力部とを備え、前記動力部は、前記対をなす回転部のいずれか一方の回転方向をいずれか他方に対して同方向および反対方向に切り換え可能な切換機構を有しているものである。
【０００６】
そして、玩具体が上部に設けられる走行体本体の両側に設けた対をなす回転部のいずれか一方の回転方向を、いずれか他方に対して同方向および反対方向に切換機構により切り換えることで、走行体が走行面上を走行したり、走行面上で旋回したりすることが可能になるので、走行面上での走行体の動作が複雑になり、興趣性が向上する。
【０００７】
請求項２記載の玩具は、請求項１記載の玩具において、走行体は、走行体本体に設けられた錘体を備えているものである。
【０００８】
そして、走行体本体に錘体を設けることで、起き上がりこぼしのような動作をすることが可能になり、興趣性がより向上する。
【０００９】
請求項３記載の玩具は、請求項１または２記載の玩具において、玩具体は、走行体本体から着脱可能に設けられたぬいぐるみ玩具であるものである。
【００１０】
そして、玩具体を走行体本体に着脱可能なぬいぐるみ玩具とすることで、この玩具体を走行体から取り外してぬいぐるみ玩具として興趣を得ることが可能になる。
【発明の効果】
【００１１】
請求項１記載の発明によれば、玩具体が上部に設けられる走行体本体の両側に設けた対をなす回転部のいずれか一方の回転方向を、いずれか他方に対して同方向および反対方向に切換機構により切り換えることで、走行体が走行面上を走行したり、走行面上で旋回したりでき、走行面上での走行体の動作が複雑になり、興趣性を向上できる。
【００１２】
請求項２記載の発明によれば、走行体本体に錘体を設けることで、起き上がりこぼしのような動作をすることができ、興趣性をより向上できる。
【００１３】
請求項３記載の発明によれば、玩具体を走行体本体に着脱可能なぬいぐるみ玩具とすることで、この玩具体を走行体から取り外してぬいぐるみ玩具として興趣を得ることができる。
【発明を実施するための最良の形態】
【００１４】
以下、本発明の一実施の形態の玩具の構成を図１ないし図７を参照して説明する。
【００１５】
図１において、１は玩具としての玉乗り玩具を示し、この玉乗り玩具１は、玩具体としてのぬいぐるみ玩具２と、このぬいぐるみ玩具２が上部に着脱可能に取り付けられる走行体としての球状のボール体３とを備えている。
【００１６】
ぬいぐるみ玩具２は、例えば猿などの動物を模して形成されている。このぬいぐるみ玩具２の下部には、ボール体３に着脱される図示しない接続部が設けられている。また、このぬいぐるみ玩具２の内部には、図示しない鈴が設けられている。
【００１７】
ボール体３は、枠状の走行体本体11と、この走行体本体11に設けられた動力部12と、走行体本体11の両側に設けられ対をなす回転部としての第１回転部13および第２回転部14と、走行体本体11に設けられた錘体15とを備え、内部に図示しないベルが設けられている。
【００１８】
走行体本体11は、ボール体３の中心に位置する本体中心部21と、この本体中心部21の上部に突設された玩具着脱部22と、本体中心部21の下部に設けられた錘取付部23と、この錘取付部23の前後に設けられた電源部としての電池ボックス24とを有している。
【００１９】
本体中心部21は、ボール体３の両側方向に互いに離間された側壁31，32を備えている。これら側壁31，32の間には、動力部12が収容されている。
【００２０】
玩具着脱部22は、本体中心部21の上部に突設され、回転部13，14の間からボール体３の上方に突出している。この玩具着脱部22の先端部には、ぬいぐるみ玩具２の接続部が着脱可能に嵌合される嵌合部35が設けられている。
【００２１】
錘取付部23は、走行体本体11の前後方向の中心の下部に設けられ、内部に錘体15が収容されている。
【００２２】
電池ボックス24には、動力部12のモータ41に電力を供給する電池36が着脱可能に取り付けられている。また、この電池ボックス24には、モータ41の動作をオンオフする図示しない電源スイッチが設けられている。
【００２３】
動力部12は、モータ41と、このモータ41の回転を回転部13，14に伝達する切換機構としてのギア部42とを備えている。
【００２４】
なお、以下、図２に示す右側である図３に示す下側を前側、図２に示す左側である図３に示す上側を後側として、それぞれ説明する。
【００２５】
モータ41は、図１および図２に示すように、本体中心部21の両側壁31，32の間の下側寄りの位置に取り付けられ、回転軸41aが側壁31に挿通されて第１回転部13側に突出している。また、回転軸41aには、モータプーリ45が同軸状に取り付けられている。
【００２６】
ギア部42は、ボール体３の上下方向の中心位置を通って水平に設けられた第１中心軸46および第２中心軸47を備えている。これら中心軸46，47は、互いに同軸状に位置し、第１中心軸46は側壁31に、第２中心軸47は側壁32に、それぞれ挿通されて本体中心部21の両側方に突出している。そして、各中心軸46，47は、それぞれ回転部13，14に嵌合している。
【００２７】
また、側壁31の外方には、図１ないし図３に示すように、平滑車状のプーリ51が、モータ41の回転軸41aの後方上側に設けられたプーリ軸52により側壁31に回転自在に軸支されている。このプーリ51には、モータプーリ45との間にベルト53が巻き掛けられている。したがって、このプーリ51は、モータプーリ45の回転に伴いこのモータプーリ45と同方向に回転する。また、プーリ軸52のプーリ51と側壁31との間には、プーリ51と一体的に回転する第１ギア54が同軸状に設けられている。
【００２８】
さらに、プーリ軸52の上方には、第１回転軸55が設けられている。この第１回転軸55の両端部は、側壁31，32にそれぞれ回転自在に軸支されている。また、この第１回転軸55には、第１ギア54に歯合する第２ギア56が設けられている。したがって、この第２ギア56は、第１ギア54の回転に伴いこの第１ギア54と反対方向に第１回転軸55と一体的に回転する。また、第１回転軸55の側壁32の内側の位置には、第３ギア57が設けられている。したがって、この第３ギア57は、第２ギア56の回転に伴いこの第２ギア56と同方向に回転する。さらに、この第３ギア57は、第１回転軸55の軸方向に沿って細長形状に形成されている。
【００２９】
そして、第３ギア57には、第１スライドギア58および第２スライドギア59がそれぞれ歯合している。これらスライドギア58，59は、両端部が側壁31，32に回転自在に軸支されたスライド軸61にそれぞれ設けられ、このスライド軸61の軸方向に互いに離間されている。また、これらスライドギア58，59は、歯数が互いに１つ異なっている。さらに、スライド軸61は、第１回転軸55よりも前方上側に位置している。
【００３０】
第１スライドギア58は、スライド軸61の側壁32側の内側の近傍に固定され、このスライド軸61と一体的に回転する。また、この第１スライドギア58には、第２スライドギア59側の側面に、この第２スライドギア59に向けて突出した第１突出部62を備えている。この第１突出部62は、第１スライドギア58の周方向に沿って傾斜状に突出している。そして、この第１突出部62は、第１スライドギア58の周方向に、例えば４分の１周に亘って形成されている。
【００３１】
第２スライドギア59は、第１スライドギア58よりも側壁31側の位置に、スライド軸61に対して軸方向に摺動すなわちスライド可能に設けられている。この第２スライドギア59のスライド幅は、第３ギア57の軸方向寸法よりも小さくなっている。すなわち、第２スライドギア59は、スライド幅内の任意の位置で第３ギア57に歯合している。
【００３２】
さらに、この第２スライドギア59の第１スライドギア58側の側面には、第１スライドギア58と同様に、第２突出部63が設けられている。この第２突出部63は、第１突出部62と略等しい形状に形成されている。すなわち、この第２突出部63は、第２スライドギア59の周方向に沿って傾斜状に突出し、第２スライドギア59の周方向に、例えば４分の１周に亘って形成されている。
【００３３】
また、スライド軸61の側壁31の内側の位置には、このスライド軸61と一体的に回転する第４ギア65が同軸状に設けられている。さらに、スライド軸61の第４ギア65と第２スライドギア59との間には、第２スライドギア59を第１スライドギア58側に向けて付勢する付勢体としてのスプリング66が挿通されている。
【００３４】
したがって、スライドギア58，59は、第３ギア57に歯合して回転することにより、スライド軸61の周方向の互いの相対的な位置がずれ、図４(a)および図４(b)にそれぞれ示すように、各突出部62，63が当接する状態と当接しない状態とが切り換えられる。そして、第２スライドギア59がスプリング66により第１スライドギア58側へと付勢されていることで、第２スライドギア59は、各突出部62，63の当接状態で第１スライドギア58から離れ、各突出部62，63の非当接状態で第１スライドギア58に近づく。
【００３５】
また、第４ギア65には、図１ないし図３に示すように、第５ギア67が歯合している。この第５ギア67は、両端部が側壁31，32に回転自在に軸支された第２回転軸68に設けられ、第４ギア65の回転に伴いこの第４ギア65と反対方向に第２回転軸68と一体的に回転する。また、第２回転軸68は、スライド軸61の後方上側に位置し、側壁31の外方に設けられた挿通部69に一端部が挿通され、この一端部の先端に、第１駆動ギア71が設けられている。したがって、この第１駆動ギア71は、第５ギア67の回転に伴いこの第５ギア67と同方向に回転する。そして、この第１駆動ギア71は、第１中心軸46に設けられた大径の第１回転ギア72に歯合されている。すなわち、この第１回転ギア72は、第１駆動ギア71の回転に伴いこの第１駆動ギア71と反対方向に第１中心軸46と一体的に回転し、この第１中心軸46を介して第１回転部13を回転させるものである。
【００３６】
一方、第２スライドギア59の第３ギア57と反対側には、第６ギア75が設けられている。この第６ギア75は、両端部が側壁31，32に回転自在に軸支された第３回転軸76の側壁32側の位置に設けられ、第２スライドギア59が第１スライドギア58に近づいている状態、すなわち図４(a)に示す状態でのみ第２スライドギア59に歯合可能な位置に設けられている。このため、第６ギア75は、第２スライドギア59に歯合した状態で、この第２スライドギア59の回転に伴いこの第２スライドギア59と反対方向に回転する。
【００３７】
また、第３回転軸76は、スライド軸61の前方上側に位置し、第２回転軸68と略等しい高さ位置に設けられている。さらに、この第３回転軸76の側壁31側の位置には、この第３回転軸76と一体的に回転する第７ギア77が設けられている。したがって、この第７ギア77は、第６ギア75の回転に伴いこの第６ギア75と同方向に回転する。
【００３８】
さらに、第７ギア77には、第８ギア78が歯合している。この第８ギア78は、両端部が側壁31，32に回転自在に軸支された第４回転軸79の側壁31の近傍に設けられ、第７ギア77の回転に伴いこの第７ギア77と反対方向に第４回転軸79と一体的に回転する。この第４回転軸79は、第３回転軸76の前方下側に位置し、スライド軸61と略等しい高さ位置に設けられている。また、第４回転軸79には、第８ギア78と側壁32との間に、第９ギア81が設けられている。したがって、この第９ギア81は、第８ギア78の回転に伴いこの第８ギア78と同方向に回転する。
【００３９】
また、この第９ギア81の第８ギア78側には、第１０ギア82がこの第９ギア81と一体に設けられている。すなわち、これらギア81，82は、一体に同方向に回転する。さらに、第１０ギア82は、第２スライドギア59が第１スライドギア58から離れている状態、すなわち図４(b)に示す状態でのみ第２スライドギア59に歯合可能な位置に設けられている。すなわち、第１０ギア82は、第２スライドギア59に歯合した状態で、この第２スライドギア59の回転に伴いこの第２スライドギア59と反対方向に回転する。
【００４０】
そして、第９ギア81には、第１１ギア85が歯合している。この第１１ギア85は、両端部が側壁31，32に回転自在に軸支された第５回転軸86に設けられ、第９ギア81の回転に伴いこの第９ギア81と反対方向に第５回転軸86と一体的に回転する。この第５回転軸86は、第４回転軸79の前方上側に位置し、各回転軸68，76と略等しい高さ位置に設けられている。また、第５回転軸86は、軸方向の一端部が側壁32から外方に突出し、この一端部の先端に、第２駆動ギア87が設けられている。したがって、この第２駆動ギア87は、第１１ギア85の回転に伴いこの第１１ギア85と同方向に回転する。そして、この第２駆動ギア87は、第２中心軸47に設けられた大径の第２回転ギア88に歯合されている。すなわち、この第２回転ギア88は、第２駆動ギア87の回転に伴いこの第２駆動ギア87と反対方向に第２中心軸47と一体的に回転し、この第２中心軸47を介して第２回転部14を回転させるものである。
【００４１】
各回転部13，14は、それぞれボール体３を中心線に沿って半分に分割した略半球状に形成されて、内部が刳り貫かれている。また、各回転部13，14の内側には、ボール体３の中心に向けて突出した第１嵌合部91および第２嵌合部92がそれぞれ設けられ、これら嵌合部91，92には、それぞれ中心軸46，47が嵌合されている。したがって、回転部13，14は、走行体本体11に対して相対的に回転する。さらに、各回転部13，14の外周面の走行体本体11側に位置する縁部には、平坦状の第１接地面93および第２接地面94がそれぞれ設けられている。これら接地面93，94により、ボール体３が走行面上を所定の方向へと安定して走行可能となっている。また、回転部13，14の両側部には、それぞれ絵などが描かれている。
【００４２】
そして、錘体15は、ボール体３の重心となるもので、錘取付部23に収容されて走行体本体11と一体的となっている。
【００４３】
次に、上記一実施の形態の動作を説明する。なお、以下、図２に示す時計回り方向を正方向、図２に示す反時計回り方向を逆方向としてそれぞれ説明する。
【００４４】
まず、ぬいぐるみ玩具２を玩具着脱部22に取り付けたボール体３を、接地面93，94を走行面に接地させて走行面に載置する。
【００４５】
電池ボックス24に電池36を装着し、電源スイッチをオンすると、電池36から供給された電力によりモータ41が駆動する。
【００４６】
そして、このモータ41の駆動により、回転軸41aを介してモータプーリ45が正方向に回転し、ベルト53を介してプーリ51が第１ギア54とともに正方向に回転し、この第１ギア54に歯合した第２ギア56が逆方向に回転し、この第２ギア56と一体的に逆方向に回転する第１回転軸55を介して第３ギア57が逆方向に回転し、この第３ギア57に歯合したスライドギア58，59が正方向に回転する。
【００４７】
さらに、第１スライドギア58と一体的に正方向に回転するスライド軸61を介して第４ギア65が正方向に回転し、この第４ギア65に歯合した第５ギア67が逆方向に回転し、この第５ギア67と一体的に逆方向に回転する第２回転軸68を介して第１駆動ギア71が逆方向に回転し、この第１駆動ギア71に歯合した第１回転ギア72が正方向に回転し、この第１回転ギア72と一体的に正方向に回転する第１中心軸46を介して、第１回転部13が正方向に回転する。
【００４８】
同時に、第１スライドギア58に近づいた状態の第２スライドギア59に歯合した第６ギア75が逆方向に回転し、この第６ギア75と一体的に逆方向に回転する第３回転軸76を介して第７ギア77が逆方向に回転し、この第７ギア77に歯合した第８ギア78が正方向に回転し、この第８ギア78と一体的に正方向に回転する第４回転軸79を介して第９ギア81が正方向に回転し、この第９ギア81に歯合した第１１ギア85が逆方向に回転し、この第１１ギア85と一体的に逆方向に回転する第５回転軸86を介して第２駆動ギア87が逆方向に回転し、この第２駆動ギア87に歯合した第２回転ギア88が正方向に回転し、この第２回転ギア88と一体的に正方向に回転する第２中心軸47を介して、第２回転部14が正方向に回転する。
【００４９】
すなわち、図４(a)に示すスライドギア58，59の接近状態では、回転部13，14がともに正方向に回転し、ボール体３が前進する。
【００５０】
このとき、走行体本体11が、図５に示すように、回転部13，14の回転によりぬいぐるみ玩具２を前後に揺らしながら、ぬいぐるみ玩具２をボール体３の上部に維持し、ぬいぐるみ玩具２があたかも玉乗りをしているように動作する。また、ボール体３の走行に伴い、ボール体３内のベルが鳴る。
【００５１】
一方、スライドギア58，59のスライド軸61の周方向の相対的な位置が互いにずれてくると、突出部62，63が当接することで第２スライドギア59がスライド軸61の軸方向に沿って側壁31側、すなわち第１スライドギア58から離れる方向に移動する。
【００５２】
そして、第１スライドギア58から離れた第２スライドギア59に歯合した第１０ギア82が第９ギア81と一体に逆方向に回転し、この第９ギア81に歯合した第１１ギア85が正方向に回転し、この第１１ギア85と一体的に正方向に回転する第５回転軸86を介して第２駆動ギア87が正方向に回転し、この第２駆動ギア87に歯合した第２回転ギア88が逆方向に回転し、この第２回転ギア88と一体的に逆方向に回転する第２中心軸47を介して、第２回転部14が逆方向に回転する。
【００５３】
すなわち、図４(b)に示すスライドギア58，59の離間状態では、第１回転部13が正方向に回転し、第２回転部14が逆方向に回転する。
【００５４】
この結果、図６に示すように、ぬいぐるみ玩具２が鉛直上下方向に対して傾斜した状態でボール体３が第２回転部14側に旋回する。
【００５５】
そして、スライドギア58，59のスライド軸61の周方向の相対的な位置がさらにずれて再び突出部62，63が非当接状態となると、スライドギア58，59が再び接近状態となり、上記作用により回転部13，14がともに正方向に回転し、ボール体３が旋回した方向へと走行する。
【００５６】
また、例えば玉乗り玩具１が壁などの障害物に当たった場合には、ボール体３の回転部13，14の回転が障害物によりロックされ、走行体本体11が回転部13，14に対して相対的に後方向へと回動する。
【００５７】
さらに、走行体本体11がある程度回動すると、スライドギア58，59が離間状態となり、ボール体３が第２回転部14側に旋回するとともに、ぬいぐるみ玩具２がボール体３の上部に位置するように走行体本体11が前方向へと回動する。
【００５８】
そして、ボール体３がある程度旋回すると、スライドギア58，59が再び接近状態となり、ボール体３が障害物と異なる方向へと走行して、障害物を回避する。
【００５９】
また、電源スイッチをオフすると、錘体15の作用により、玉乗り玩具１が起き上がりこぼしとなる。
【００６０】
さらに、ぬいぐるみ玩具２は、ボール体３から取り外して通常のぬいぐるみ玩具と同様に遊ぶことができ、例えば全体を振ることで内部の鈴が鳴る。同時に、ぬいぐるみ玩具２が取り外されたボール体３は、ボール体３単体で上記動作をする玩具となる。
【００６１】
上述したように、上記一実施の形態によれば、走行体本体11に設けた第２回転部14の回転方向を、第１回転部13に対して同方向および反対方向にギア部42により切り換えることで、ボール体３が走行面上を走行したり、走行面上で旋回したりでき、あたかもぬいぐるみ玩具２が玉乗りをするように走行面上でのボール体３の動作が複雑になるため、興趣性を向上できる。
【００６２】
また、ギア部42により第２回転部14が第１回転部13に対して同方向、あるいは反対方向に回転するため、玉乗り玩具１が障害物などに衝突した場合でも、この障害物を回避して再度走行することが可能になるため、例えばボール体が直進するだけの従来の場合と比較して、比較的狭い場所などでも興趣性を低下させることなく玉乗り玩具１を使用することができ、使い勝手を向上できる。
【００６３】
さらに、走行体本体11に錘体15を設けることで、玉乗り玩具１が起き上がりこぼしのような動作をすることが可能になり、興趣性をより向上できる。
【００６４】
そして、ぬいぐるみ玩具２をボール体３から着脱可能とすることで、ぬいぐるみ玩具２単体、あるいはボール体３単体でもそれぞれ興趣を得ることができる。
【００６５】
また、ギア部42は、各ギアの歯合により１つのモータ41の駆動で回転部13，14のそれぞれの回転を制御できるので、例えば対をなす回転部それぞれの回転をそれぞれ別個のモータで操作したり、制御回路などを用いたりする場合などと比較して、製造コストを抑制できる。
【００６６】
さらに、ぬいぐるみ玩具２に鈴を設けることで、ぬいぐるみ玩具２をがらがら、すなわちラトルとすることも可能になるため、興趣性をより向上できる。
【００６７】
なお、上記一実施の形態において、ボール体３の左右方向および前後方向、あるいは動力部12の上下左右方向および前後方向などをそれぞれ逆とする構成も可能である。
【００６８】
また、ギア部42は、回転部13，14の回転方向を制御できれば、上記構成以外の形状、配置および構成とすることも可能である。
【００６９】
さらに、ギア部42に代えて、複数のモータで回転部13，14の回転方向を制御する構成なども可能である。
【００７０】
そして、ぬいぐるみ玩具２は、猿以外にも、例えば象、あるいは猫などの他の様々な動物、人形、キャラクターを模したもの、あるいは乗り物など、他の様々なものが可能である。
【００７１】
また、動力部12は、モータ41に代えて、例えばぜんまいばねなどで駆動させる構成とすることも可能である。
【図面の簡単な説明】
【００７２】
【図１】本発明の一実施の形態の玩具を一部を切り欠いて示す正面図である。
【図２】同上玩具の走行体を示す縦断側面図である。
【図３】同上走行体の切換機構を示す平面図である。
【図４】同上切換機構の動作を示す説明図であり、(a)は対をなす回転部がともに同方向に回転する状態を示す説明図、(b)は対をなす回転部が互いに反対方向に回転する状態を示す説明図である。
【図５】同上玩具の動作を示す説明図である。
【図６】同上玩具の他の動作を示す説明図である。
【図７】同上玩具のさらに他の動作を示す説明図である。
【符号の説明】
【００７３】
１    玩具としての玉乗り玩具
２    玩具体としてのぬいぐるみ玩具
３    走行体としてのボール体
11    走行体本体
12    動力部
13    回転部としての第１回転部
14    回転部としての第２回転部
15    錘体
42    切換機構としてのギア部
【図１】
2005205036.tif 000003
【図２】
2005205036.tif 000004
【図３】
2005205036.tif 000005
【図４】
2005205036.tif 000006
【図５】
2005205036.tif 000007
【図６】
2005205036.tif 000008
【図７】
2005205036.tif 000009